(57)【特許請求の範囲】
【請求項１】
樹脂製のシート又は樹脂製のフィルムが巻き取られている巻物を得るにあたり、
前記シート又は前記フィルムを巻き取るための巻芯が、巻芯本体と少なくとも１対のスリット管とを備えており、前記各スリット管を横断面で見たとき、前記各スリット管の管周の一部が切り欠けており、前記各スリット管に前記巻芯本体の長さ方向の両端部がそれぞれ差し込まれており、前記巻芯本体の外径が前記各スリット管の内径と同じか又は前記各スリット管の内径よりも小さく、前記巻芯本体と前記各スリット管との間に隙間が設けられており、前記シート又は前記フィルムの巻き始め部の幅方向の両端部を前記各スリット管上にそれぞれ載置し、前記シート又は前記フィルムを巻き取り、前記巻芯本体を抜き取り、前記各スリット管を縮径させて抜き取ることを特徴とする、巻物の製造方法。
【請求項２】
樹脂製のシート又は樹脂製のフィルムを巻き取るための巻芯であって、
前記巻芯が巻芯本体と少なくとも１対のスリット管とを備えており、前記各スリット管を横断面で見たとき、前記各スリット管の管周の一部が切り欠けており、前記各スリット管に前記巻芯本体の長さ方向の両端部がそれぞれ差し込まれており、前記巻芯本体の外径が前記各スリット管の内径と同じか又は前記各スリット管の内径よりも小さく、前記巻芯本体と前記各スリット管との間に隙間が設けられており、前記シート又は前記フィルムの巻き始め部の幅方向の両端部が前記各スリット管上にそれぞれ載置され、巻き取られた巻物から、前記巻芯本体が抜き取られ、前記スリット管が縮径されて抜き取られることを特徴とする、巻芯。
【発明の詳細な説明】
【０００１】
【発明の属する技術分野】
本発明は、樹脂製のシート又は樹脂製のフィルムが巻き取られている巻物の製造方法及びかかる巻物を得るための巻芯に関する。
【０００２】
【従来の技術】
各種材質のシートやフィルム等の巻物製品の製造には、その製品生産設備の巻取工程において、巻芯が用いられる。巻芯は、コアとも呼ばれ、通常、シート等を巻き取る際に必要となる。
【０００３】
かかる巻芯は、一般には、紙製、プラスチック製又は金属製の中空管が使用されている。かかる巻芯は、シート等を所定の長さで巻取り、シート等とともに製品の一部として流通している。
【０００４】
【発明が解決しようとする課題】
巻芯は、シート等を巻き取る土台となるとともに、巻き取った後には、その巻物の形状を保持させるものである。
【０００５】
しかし、紙管等のコアを使用した巻物製品は、そのコアの分だけ、材料費のアップとなる。その上、巻き取られている巻物製品を使い切った後、そのコアは、通常、回収されず、ほとんどの場合、廃棄されている。
【０００６】
市場に流通する巻物製品中のコアをなくせば、所望のシート等以外の材料が最終製品に含まれないので、巻物製造の省資源化が図れる。
【０００７】
また、かかるコアなし巻物としてのシート等を消費した後には、廃棄物として捨てられるコアが出ないので、巻物製品の省廃棄物化が図れる。
【０００８】
本発明は、樹脂製のシート又は樹脂製のフィルムを巻芯上で巻き取った後、前記シート又は前記フィルムの巻き始め部を破損させることなく、巻芯を抜き取ることを課題とする。
【０００９】
【課題を解決するための手段】
本発明は、樹脂製のシート又は樹脂製のフィルムが巻き取られている巻物を得るにあたり、前記シート又は前記フィルムを巻き取るための巻芯が、巻芯本体と少なくとも１対のスリット管とを備えており、前記各スリット管を横断面で見たとき、前記各スリット管の管周の一部が切り欠けており、前記各スリット管に前記巻芯本体の長さ方向の両端部がそれぞれ差し込まれており、前記巻芯本体の外径が前記各スリット管の内径と同じか又は前記各スリット管の内径よりも小さく、前記巻芯本体と前記各スリット管との間に隙間が設けられており、前記シート又は前記フィルムの巻き始め部の幅方向の両端部を前記各スリット管上にそれぞれ載置し、前記シート又は前記フィルムを巻き取り、前記巻芯本体を抜き取り、前記各スリット管を縮径させて抜き取ることを特徴とする、巻物の製造方法に係るものである。
【００１０】
また、本発明は、樹脂製のシート又は樹脂製のフィルムを巻き取るための巻芯であって、前記巻芯が巻芯本体と少なくとも１対のスリット管とを備えており、前記各スリット管を横断面で見たとき、前記各スリット管の管周の一部が切り欠けており、前記各スリット管に前記巻芯本体の長さ方向の両端部がそれぞれ差し込まれており、前記巻芯本体の外径が前記各スリット管の内径と同じか又は前記各スリット管の内径よりも小さく、前記巻芯本体と前記各スリット管との間に隙間が設けられており、前記シート又は前記フィルムの巻き始め部の幅方向の両端部が前記各スリット管上にそれぞれ載置され、巻き取られた巻物から、前記巻芯本体が抜き取られ、前記スリット管が縮径されて抜き取られることを特徴とする、巻芯に係るものである。
【００１１】
本発明者は、巻物製品の巻芯部に巻芯又はコアのない、樹脂製のシートだけからなる巻物を得るため、種々の方法を検討した。
【００１２】
検討中、本発明者は、樹脂製のシートをプラスチック製の巻芯で巻き取りした後、この巻芯を抜き取ると、このシートの巻き始め部が破損してしまうことを見出した。
【００１３】
本発明者の研究によれば、巻芯の引き抜きによって樹脂製シートの巻き始め部が巻芯に引きずられ、変形することが分かった。変形した樹脂製シートは、製品としての機能を著しく損ね、歩留りを低下させる。
【００１４】
また、本発明者は、かかる変形は、樹脂製シートの巻き始め部が巻芯と面接触しており、樹脂製シートの巻き始め部が巻芯の抜き取りに伴って引きずられ易いことに起因すると考えた。
【００１５】
かかる知見の下、本発明者は、巻物から巻芯を抜き取る際、樹脂製シートの巻き始め部を破損させない手段を検討した。
【００１６】
その結果、本発明者は、巻芯を、巻芯本体と少なくとも１対のスリット管とから構成すれば、樹脂製シートを巻き取った後に、巻芯本体を抜き取っても、樹脂製シートの巻き始め部を破損させないことを突き止め、本発明に至った。
【００１７】
本発明では、巻芯において、巻芯本体の長さ方向の両端部を、少なくとも１対のスリット管にそれぞれ差し込み、この巻芯本体の外径を、巻芯本体が簡単に抜き取れる程度に各スリット管の内径と同じか又は各スリット管の内径よりも小さく設計し、巻芯本体と各スリット管との間に隙間を設ける。
【００１８】
本発明においては、かかる巻芯を用い、樹脂製のシート又は樹脂製のフィルムを巻き取る。樹脂製のシート又は樹脂製のフィルムは、巻き始め部の幅方向の両端部を各スリット管上にそれぞれ載置し巻き取る。
【００１９】
このようにして、樹脂製のシート等を巻芯に巻き取った後、本発明では、この巻芯の巻芯本体とスリット管とを、樹脂製のシート等の巻き始め部を傷めないように抜き取る。
【００２０】
巻芯本体は、樹脂製のシート等と接触しておらず、スリット管とも接触していないため、簡単に引き抜け、抜き取っても、スリット管上で巻かれた状態の樹脂製のシート等は何ら引きずられることがなく、破損することもない。
【００２１】
また、本発明では、各スリット管は、横断面で見て、管周の一部が切り欠けているので、容易に縮径させることができる。かかるスリット管は、樹脂製のシート等を何ら引きずらずに、簡単に抜き取ることができる。
【００２２】
しかも、本発明によれば、各スリット管は、互いに離間し、巻き取られる樹脂製のシート等の幅方向の両端部に配置され、１本のスリット管を用いる場合に比べ、シート等との接触面積が著しく小さくなるので、各スリット管を縮径することにより、シート等を引きずることなく、簡単に抜き取ることができる。
【００２３】
なお、樹脂製のシート又は樹脂製のフィルムは、巻き取り時に巻芯の全面で巻き取らなくても、その幅方向の両端部で支持しながら巻き取れば、その弾性によって十分に形状を保持することができる。
【００２４】
本発明によれば、樹脂製のシート又は樹脂製のフィルムを巻き取るための巻芯が、所定の巻芯本体と少なくとも１対のスリット管とを備えており、樹脂製のシート又は樹脂製のフィルムが各スリット管上で巻き取られるので、樹脂製のシート等の巻き始め部を破損することなく、巻芯本体及びスリット管を簡単に抜き取ることができ、樹脂製のシート等だけからなる巻物を製造することができる。
【００２５】
【発明の実施の形態】
図面を参照して、本発明を詳細に説明する。
図１は、本発明の巻物の製造方法の一工程を示す斜視図である。図２は、本発明の巻物の製造方法によって得られる巻物の斜視図である。図３は、本発明の一例の巻芯の斜視図である。
【００２６】
本発明では、まず、図１に示すように、樹脂製のシート１等が、巻芯２上で巻き取られ、巻芯付き巻物３が作られる。
【００２７】
図３に詳細を示す巻芯２は、巻芯本体４と少なくとも１対のスリット管５，１５とを備える。各スリット管５，１５は、横断面で見て、管周の一部が切り欠けた切断端５ａ，５ｂ，１５ａ，１５ｂを有し、巻芯本体４の長さ方向の両端部が各スリット管５，１５の内側にそれぞれ差し込まれる。
【００２８】
巻芯本体４の外径は、巻芯本体が簡単に抜き取れる程度に各スリット管の内径と同じか又は各スリット管５，１５の内径よりも小さく、巻芯本体４と各スリット管５，１５との間には、隙間６が存在する。
【００２９】
樹脂製のシート１等は、その巻き始め部の幅方向の両端部が各スリット管５，１５上にそれぞれ載置され、スリット管５，１５に巻き取られる。
【００３０】
樹脂製のシート１等を所望の長さに巻き取った後カットし、樹脂製のシート１等が巻芯に巻かれた巻芯付き巻物３を得る。巻芯付き巻物３から、巻芯本体４を抜き取り、両端の各スリット管５，１５を縮径させて抜き取ることによって、図２に示すような、樹脂製のシート１又は樹脂製のフィルムだけからなる、巻始めの巻芯が除かれた巻物７が得られる。
【００３１】
本発明で得られる巻物は、巻き取られるものが樹脂製のシート又は樹脂製のフィルムであるので、樹脂製のシート等のそれ自体の弾性によって、巻芯が除かれた巻物であっても型崩れが起こり難い。
【００３２】
また、本発明では、巻物の巻芯を小さな径のものとすることで、図２に示すような、巻の中心部の空洞８を小さくすることによって、巻物の型崩れを抑えることができる。
【００３３】
本発明によって製造される巻芯の除かれた巻物は、巻芯の省資源、省廃棄物化のために、特に有効である。
【００３４】
本発明では、巻き取り工程で必要な巻芯は、最終製品の出荷時までに回収できるので、かかる巻芯を、再度、巻き取り工程の巻芯として再利用することができる。
【００３５】
また、本発明では、巻芯を付けた状態で製品を出荷する必要がないので、樹脂製のシート等を使い切った後、廃棄物としての巻芯が残らない。
【００３６】
本発明にかかる樹脂製のシート又は樹脂製のフィルムは、材質等、特に限定されるものではなく、種々の材質から形成されるものを用いることができる。
【００３７】
巻取り装置において所定の長さの巻物状製品を得るために、シート状又はフィルム状にエンドレスで生産されるものであればよい。かかるシート又はフィルムの厚み、巻き取る製品長さについても、特に限定されない。
【００３８】
本発明では、種々の巻取り装置を用いることができる。巻取り装置は、特に限定されることはないが、本発明の方法によれば、例えば、サーフェスワインダー又はセンターワインダーのいずれでも良好に巻物を製造することができる。
【００３９】
本発明にかかる巻芯本体は、図３に示すような中空管からなるものでよい。ただし、巻芯本体は、コアとしての役目を果たす限り、中空管である必要はなく、種々の形状のものを用いることができる。
【００４０】
巻芯本体の長さは、巻き取る樹脂製のシート等の幅よりも短いといけないが、同じ以上の長さを有すればよい。
【００４１】
かかる巻芯本体の材質については、巻取時に必要な強度及び硬さを有し、巻芯本体を引き抜く時の応力に耐えるものであればよい。通常使用される紙管の強度があれば、時に限定はされない。
【００４２】
本発明では、巻芯本体は、持ち運び及び抜き取りの作業性を考慮すると、軽量で、硬く、加工性のよい中空の硬質塩化ビニル樹脂製管を使用するのが好ましい。
【００４３】
スリット管については、樹脂製のシート等を巻き取る最中に、巻芯本体よりずれないで、巻芯本体を引き抜く時に、巻芯本体が抜けるものであれば、特に限定はない。スリット管の材質及び長さについての限定もない。
【００４４】
巻芯本体の外径とスリット管の内径は、スリット管の内径が巻芯本体の外径よりも大きいものとすることができる。
【００４５】
スリット管の内径が巻芯本体の外径よりも大きい場合、管軸方向とほぼ平行に管周の一部が切り取られているため、樹脂製のシート等の巻き取り圧により、スリット管が縮径してしまうことがある。この場合、巻芯本体が抜けなくなってしまうおそれがあるので、巻き取り中の縮径は防がなければならない。
【００４６】
本発明では、巻芯本体の外周部に各スリット管を配置する位置は、巻取を行う樹脂製のシート等の幅とほぼ同じ幅の位置とする。このようにすれば、巻芯本体の両端にスリット管を差し込んだ状態で、巻芯本体を巻取装置に設置し、両側のスリット管の上に、巻取りを行う樹脂製のシート等の巻き始め部の幅方向の両端部がくるようにして、樹脂製のシート等が巻き取れる。
【００４７】
本発明において、１枚の樹脂製のシート又は樹脂製のフィルムから、巻物をｎ本とる場合には、巻芯本体に設けるスリット管の数を２×ｎの数にすれば可能である。
【００４８】
【実施例】
図面を参照して、本発明を実施例によって詳細に説明する。
（実施例１）
図３に示す巻芯を用い、図１に示すようにして樹脂製のシートを巻き取り、図２に示すような、巻芯を除いた巻物を製造した。
【００４９】
巻芯本体及びスリット管は、中空硬質塩化ビニル樹脂製管を使用した。巻芯本体とスリット管の大きさは、巻芯本体の外径とスリット管の内径とが同じものを用いた。スリット管については、長さ方向に、管周の一箇所を切断し、スリットを設けた。
【００５０】
本実施例によって得られた、樹脂製のシートだけからなる巻物は、樹脂製のシートの巻き始め部が破損することなく、コアを使用した製品と同様に、何ら問題はなく、樹脂製のシートを最後まで使い切ることができた。
【００５１】
【発明の効果】
本発明によれば、巻物の巻き始め部分を損傷させることなく巻芯が抜き取れるので、巻取した製品を開皮した場合、巻始め部分に、発生しやすい製品の不良がなくなり、製品の歩留が向上する。
【００５２】
また、本発明によれば、最終製品としての巻物に巻芯が残らないため、省資源化、省廃棄物化が図れる。
【図面の簡単な説明】
【図１】  本発明の巻物の製造方法の一工程を示す斜視図である。
【図２】  本発明の巻物の製造方法によって得られる巻物の斜視図である。
【図３】  本発明の一例の巻芯の斜視図である。
【符号の説明】
１  樹脂製のシート又は樹脂製のフィルム
２  巻芯
３  巻芯付き巻物
４  巻芯本体
５，１５  スリット管
５ａ，５ｂ，１５ａ，１５ｂ  切断端
６  隙間
７  巻物
８  空洞
【図１】
0003639178.tif 000002
【図２】
0003639178.tif 000003
【図３】
0003639178.tif 000004